(57)【要約】【課題】スクリーン印刷法におけるスキージと乳剤の摩擦を軽減する事により、ノッキングなどの不具合の発生を低減する事で、塗布膜の膜厚分布を良好な状態とすること、およびそれにより、均質なディメンジョンのパネル構成要素を作製し表示品質の優れたパネルを提供すると共に、コストメリットに優れた多面取り工法においても均質なディメンジョンのパネルを作製することにより、低コストのパネルを提供することを目的とする。【解決手段】版枠に紗１４を張り印刷範囲１９以外を乳剤１５で覆った構造の印刷スクリーン版であって、スキージ１６が接触する領域の乳剤１５に凹凸２１を形成した印刷スクリーン版、およびこの印刷スクリーン版を用いて作製したプラズマディスプレイパネルである。【選択図】図１
2010115855.tif 000002
【特許請求の範囲】
【請求項１】
版枠に紗を張り印刷範囲以外を乳剤で覆った構造の印刷スクリーン版であって、スキージが接触する領域の乳剤に凹凸を形成した印刷スクリーン版。
【請求項２】
前記乳剤の凹凸が、被印刷物と接する面に形成されている請求項１に記載の印刷スクリーン版。
【請求項３】
前記乳剤の凹凸が、被印刷物と接する面とは反対側の面に形成されている請求項１に記載の印刷スクリーン版。
【請求項４】
前記乳剤の凹凸は、スキージの長手方向と同一方向に連続的に形成されていない請求項１から３のいずれかに記載の印刷スクリーン版。
【請求項５】
前記乳剤の凹凸は、その凹部分と凸部分との高低差が、印刷領域近傍で小さくなっている請求項１から４のいずれかに記載の印刷スクリーン版。
【請求項６】
請求項１から５のいずれかに記載の印刷スクリーン版を用いて作製したプラズマディスプレイパネル。
【発明の詳細な説明】
【技術分野】
【０００１】
本発明は、ペースト状の材料を、印刷スクリーン版を通してガラス基板などの被印刷物に転写するスクリーン印刷技術に関し、特にプラズマテレビや大型モニター等に用いられるプラズマディスプレイパネルの電極や誘電体等のパネル構造物を形成するときに用いる印刷スクリーン版、およびその印刷スクリーン版によって作製したプラズマディスプレイパネルに関する。
【背景技術】
【０００２】
スクリーン印刷法は、ポスターや看板などの商業的な用途からプリント基板やプラズマディスプレイ、液晶ディスプレイなどの電子産業への用途まで、広く普及している。近年、電子産業用途への普及に伴い、印刷対象への均一な成膜が要求されるため、より高精度な技術へと発展している。
【０００３】
さらに、プラズマディスプレイや液晶ディスプレイのように大型デバイスへの用途を考えた場合、ディスプレイ自体の大型化や、複数の素材を同時に生産できる大きな基板への一括成膜化が進んでいるため、印刷面積は飛躍的に大きくなっている。特にプラズマディスプレイにおいては、パネル構造物の多くをスクリーン印刷法によって作製していることに加え、大型化、多面取り化が急速に進んでいるため、大型スクリーン印刷の需要が増えている。
【０００４】
一方、プラズマディスプレイは、放電現象を利用したディスプレイであるが、各々の画素に放電空間を形成し、電圧印加を可能とするプラズマディスプレイパネル（以下、「パネル」と略記する）と、各々の画素における放電による発光を制御して映像表示を可能とする駆動回路とからなる。
【０００５】
パネル方式として代表的な交流面放電型パネルは、対向配置された前面板と背面板との間に多数の放電セルが形成されている。前面板は、フロート法による硼珪酸ナトリウム系ガラスの前面ガラス基板上に、透明電極およびバス電極からなる１対の走査電極および維持電極（表示電極対）および遮光を行うブラックストライプがそれぞれ平行に複数対形成され、それらを覆うように誘電体層と、さらにその上に酸化マグネシウム（ＭｇＯ）からなる保護層とが形成されている。背面板は、排気および放電ガス導入用の細孔を設けた背面ガラス基板上に複数の平行なデータ電極と、それらデータ電極を覆うように誘電体層と、さらにその上にデータ電極と平行に複数の隔壁とがそれぞれ形成され、誘電体層の表面と隔壁の側面とに赤色（Ｒ）、緑色（Ｇ）および青色（Ｂ）の各色に発光する蛍光体層がそれぞれ形成されている。
【０００６】
前面板と背面板とは表示電極対とデータ電極とが立体交差するように対向配置され、その周囲がシールフリットにより密封されるとともに放電ガス（例えば、Ｎｅ−Ｘｅの場合で約５３０ｈＰａ〜８００ｈＰａの圧力）が導入されている。このような構成のパネルでは、表示電極対とデータ電極とが対向する部分に放電セルが形成され、各電極に映像信号にもとづく駆動電圧をそれぞれ印加することによって各放電セル内で放電を発生させ、放電により発生する紫外線でＲ、Ｇ、Ｂの各色の蛍光体を励起発光させてカラー表示を行っている。
【０００７】
ここで、上述したような前面板および背面板の構成要素の作製方法として、スクリーン印刷法が多く用いられている。具体的には、感光性ペーストをスクリーン印刷法により塗布形成した後にフォトリソグラフィ法によりパターン形成される前面板のバス電極およびブラックストライプや、背面板のデータ電極および隔壁などのほかに、ベタ膜形成される前面板の誘電体および背面板の誘電体などが挙げられる。なお、前面板の保護層や背面板の蛍光体層および前面板と背面板の封止に用いるシールフリットに至るまでもスクリーン印刷法を用いて形成することは可能である。つまりは、パネルのほとんどの構成要素にスクリーン印刷法を用いることは可能である。
【０００８】
スクリーン印刷法について、図７〜図９を用いて説明する。図７は、従来の印刷スクリーン版を用いてのスクリーン印刷の動作を概略的に示す断面図であり、図８は、図７におけるスキージ端部を拡大して概略的に示す断面図である。また図９は、従来の印刷スクリーン版とスキージとの位置関係を概略的に示す平面図である。なお、図７（ａ）は印刷方向１０に平行な方向から見た断面概略図であり、図７（ｂ）は印刷方向１０に垂直な方向から見た概略断面図である。図８は図７（ｂ）のスキージ端部近傍を拡大した概略図である。
【０００９】
スクリーン印刷法は、ガラス基板などの被印刷物１１に印刷スクリーン版を通してペースト１２を転写して塗布膜５０を形成する技術である。印刷スクリーン版は、ポリスチレンやＳＵＳなどからなる糸を織って作製した紗１４を、版枠１３の内側に面内のテンションが出来るだけ均一となるように張り、印刷領域以外を乳剤１５で保護することで作製する。
【００１０】
塗布膜５０の形成方法としては、印刷スクリーン版の上にペースト１２をのせ、スクレッパーで印刷領域の紗１４の糸と糸の隙間にペースト１２を充填した後に、スキージ１６を長手方向にほぼ一定の圧力で押し当てて印刷方向１０に走行することで、紗１４の糸と糸の隙間に充填されたペースト１２を被印刷物１１に接触させ転写して塗布膜５０を形成している。なお被印刷物１１は印刷機の印刷ステージ１７上に固定され、被印刷物１１の外周には助走板１８を設置し、少なくともスキージ１６の走行範囲で被印刷物１１と印刷ステージ１７の段差を補っている。
【００１１】
ここで、塗布膜５０の形成について図７（ａ）の印刷方向と平行な方向の断面で説明すると、スキージ１６は印刷スクリーン版の上で余分なペースト１２もかきとっているが、かきとる際のペースト１２の流動（ローリング）が安定でないと、かきとるペーストの量が安定せず、塗布膜５０の膜厚を不均一にしてしまう。特にスキージ１６の走行開始時はある程度ローリングを行い、安定にする必要があるため印刷範囲１９からはずれた乳剤１５の上から走行開始する必要がある。またスキージ１６の走行終了時は、紗１４と塗布膜５０が完全に剥れる状態にするため、印刷範囲１９よりもはずれた乳剤１５の部分まで走行させる必要がある。
【００１２】
また、図７（ｂ）の印刷方向と垂直な方向の断面で説明すると、紗１４の反発力がスキージ１６の端部に集中してより強い力を受け、被印刷物側への押し込み力が低下し、塗布膜の膜厚が安定しないため、印刷範囲１９はスキージ１６端部からある程度、距離を離す必要がある。したがってスキージ１６端部は、乳剤１５の上に位置することとなる。以上より、図９に従来の印刷スクリーンとスキージとの位置関係を概略図として示すように、スキージの走行範囲２０は、印刷範囲１９よりも外周に広い範囲となり、乳剤１５の上を必ず走行することとなる。
【００１３】
このように形成した塗布膜５０は、乾燥により溶剤成分を除去させた後、パターンを形成する場合には、乾燥を行った塗布膜５０を露光により感光させ、不要部分を現像で除去した後、焼成してパネル構成要素を形成し、また、パターンを形成しない場合には、焼成のみを行いパネル構成要素を形成する。
【００１４】
ここで、スクリーン印刷法の出来映えとして一般的に重要な要素である塗布膜の膜厚を均一に形成するためには、ペーストの転写量を一定とすることが必要である。紗からのペーストの転写は、スキージを押し当てる事で紗に充填されたペーストを被印刷物に接触させると共に余分なペーストをかきとることでなされている。ここで印刷面積全体に渡り一定量のペーストを被印刷物に転写するためには、いくつか注意すべき点がある。その一つとして、スキージの押し当てる力を幅方向および走行方向に均一にすることが挙げられる。特に走行方向に関しては、スキージの走行を滑らかにする必要がある。また、スクリーン版に関しても紗のテンションをある程度確保しないと、面内均一な反発力が得られず、印刷膜の膜厚もばらつく要因となる。しかしながら、これらの要素は相反する性質を持っている。幅方向の均一性を確保するためにはスクリーン版の反発力に押し負けないために、ある程度強い力でスキージを押し当てる必要があるが、スキージとスクリーン版の摩擦がより強くなるため、スキージの走行に対しては不利となる。特にスクリーン版の乳剤部分は、スキージとの接触面積が大きくなるためスキージと乳剤の摩擦が大きくなり、ひどい場合はノッキングといわれるスキージ走行時のびびりが発生する場合もある。印刷の状態を最適化するためには、スクリーン版の反発力とスキージの押し当て力を最適化して、ノッキングなどの不具合なく膜厚を均一にする条件を選択する必要がある。また、スキージと乳剤の摩擦を減らす手段として、スキージの先端形状を様々な形状とする方法もある（例えば、特許文献１参照）。
【特許文献１】特開平２−１５０３５２号公報
【発明の開示】
【発明が解決しようとする課題】
【００１５】
ところで、昨今、パネルの量産において効率よくパネルを作製するために、基板を多面取りすることで低コスト化を図っているが、その際には一度にスクリーン印刷する面積が大きくなるため、印刷スクリーンも大型化しており、一辺が３ｍを超えるスクリーン版も多く用いられている。
【００１６】
また、多面取り化による大面積成膜技術の進化に伴い、ディスプレイの大画面化も進んでいる。印刷スクリーンが大型化すると、面内の反発力分布を同等に保つ事は困難となり、通常反発力のばらつきは大きくなる。またスキージの長さも長くなるため、幅方向の押し当て力の均一性を確保するためには、特に幅方向両端部分がスクリーン版の反発力も大きくなる傾向にあるため、より強い力で押し込む必要があり、スクリーン版とスキージの摩擦は従来のスクリーン版サイズの場合よりさらに増す事となる。したがって、ノッキングなどの不具合も発生する可能性が高くなる。
【００１７】
本発明はこれらの課題に鑑みなされたものであり、スクリーン印刷法におけるスキージと乳剤との摩擦を軽減する事により、ノッキングなどの不具合の発生を低減する事で、塗布膜の膜厚分布を良好な状態とすることを目的とする。
【００１８】
さらに、均質なディメンジョンのパネル構成要素を作製し表示品質の優れたパネルを提供すると共に、コストメリットに優れた多面取り工法においても均質なディメンジョンのパネルを作製することにより、低コストのパネルを提供することを目的とする。
【課題を解決するための手段】
【００１９】
上記目的を実現するために本発明の印刷スクリーン版は、版枠に紗を張り印刷範囲以外を乳剤で覆った構造の印刷スクリーン版であって、スキージが接触する領域の乳剤に凹凸を形成したものである。
【００２０】
乳剤に凹凸をつけることで、スキージと乳剤の接触面積を減らす事ができるため、スキージ走行時の乳剤との摩擦が減り、滑らかな走行ができるため、ノッキングなどの不具合を低減することができる。
【００２１】
また前記凹凸は、被印刷物と接する面もしくはその反対面のいずれに形成された場合でも、印刷時はスキージをある程度の強さで押し込むため、凹凸の凸部分にスキージからの押し込み力は集中するため、実質的にスキージとの接触面積が減少したかのような効果があり、スキージと乳剤の摩擦を減らすことができる。
【００２２】
また、スキージの長手方向と同一方向に連続的に凹凸を形成しないことにより、凹凸がスキージ走行方向に対する段差とならないようにしており、このことにより、乳剤の凹凸の凹部にスキージがはまり込んでしまいスキージの滑らかな走行が阻害されてしまうという問題を発生させることなく、スキージ走行中、常に接触面積を減らすという効果を得ることができ、その結果、スキージの滑らかな走行を実現できる。
【００２３】
また、乳剤の凹凸の高低差が、印刷領域近傍で小さくなっていることにより、乳剤の凹凸による印刷領域との段差を小さくする事ができるため、印刷領域端部で乳剤凹凸の影響を受けて膜厚が局所的にばらつくのを防ぐ事ができ、均一な膜厚を実現する事ができる。
【００２４】
また、上記目的を実現するために本発明のパネルは、前記印刷スクリーン版を用いて作製したことを特徴とする。
【００２５】
前記の印刷スクリーン版を用いることにより、大型パネルやパネルを多面取りで作製する大型印刷スクリーン版を用いた場合も、ノッキングなどの不具合の発生を抑制できるため、印刷面内で膜厚を略同一とすることが可能となるため、現状性能を維持しつつ、量産性に優れたパネルを作製可能であると共に、大型パネルの実現も可能とする事ができる。
【発明の効果】
【００２６】
本発明によれば、スクリーン印刷時のスキージと乳剤との摩擦を軽減する事ができるので、ノッキングなどの不具合の発生を低減することができ、もって、塗布膜の膜厚分布を良好な状態とすることが可能となる。
【００２７】
さらに、均質なディメンジョンのパネル構成要素を作製し表示品質の優れたパネルを提供すると共に、コストメリットに優れた多面取り工法などの大型スクリーン印刷においても均質なディメンジョンのパネルを作製することができ、低コストのパネルを提供することが可能となる。
【発明を実施するための最良の形態】
【００２８】
以下、本発明の一実施の形態について、図面を用いて説明する。
【００２９】
図５は、本発明の一実施の形態による印刷スクリーン版を用いて作製されるパネル４５の概略構造を示す分解斜視図である。
【００３０】
ガラス製の前面板３１上には、透明電極３２およびバス電極３３から構成される走査電極３４および維持電極３５とからなる表示電極対３９と、遮光を行うブラックストライプ３６とが互いに平行に複数形成されている。そして表示電極対３９とブラックストライプ３６を覆うように誘電体層３７が形成され、その誘電体層３７上に酸化マグネシウム（ＭｇＯ）等からなる保護層３８が形成されている。
【００３１】
背面板４０上にはデータ電極４１が複数形成され、データ電極４１を覆うように誘電体層４２が形成され、さらにその上に井桁状の隔壁４３が形成されている。そして、隔壁４３の側面および誘電体層４２上には赤色（Ｒ）、緑色（Ｇ）および青色（Ｂ）の各色に発光する蛍光体層４４が設けられている。
【００３２】
これら前面板３１と背面板４０とは、微小な放電空間を挟んで表示電極対３９とデータ電極４１とが交差するように対向配置され、その外周部をガラスフリット等の封着材によって封着されている。そして放電空間には、ネオンやキセノン等を含む放電ガスが所定の圧力（例えば、Ｎｅ−Ｘｅ混合ガスの場合、約５３０ｈＰａ〜８００ｈＰａの圧力）で封入されている。放電空間は隔壁４３によって複数の区画に仕切られており、表示電極対３９とデータ電極４１とが交差する部分に放電セルが形成されている。そしてこれらの放電セルが放電、発光することにより画像が表示される。なお、パネル４５の構造は上述したものに限られるわけではなく、例えばストライプ状の隔壁を備えたものであってもよい。
【００３３】
このパネル４５の製造方法について説明する。用いる基板は、量産性に優れ低コスト化が可能な多面取りを行う基板（例えば、４２吋サイズ１６面取り基板など）を用い、複数枚同時に途中工程まで形成する。
【００３４】
まず、ガラス製の前面板３１上に、走査電極３４および維持電極３５とブラックストライプ３６とを形成する。これらの走査電極３４および維持電極３５は透明電極３２とバス電極３３とから構成される。透明電極３２は、薄膜プロセス等を用いて膜形成した後にフォトリソグラフィ法等を用いてパターニングして形成される。
【００３５】
バス電極３３は、銀材料を含む感光性ペーストを用い、スクリーン印刷法により透明電極３２がパターン形成された基板上に前記感光性ペーストを転写した後、所望の温度で乾燥して膜形成を行う。その後、バス電極３３のパターンを有するフォトマスクを介して紫外光を照射した後、アルカリなどを含む現像液で不要部分を除去して、所望の温度で焼成することで固化している。
【００３６】
また、ブラックストライプ３６も同様に、黒色顔料を含む感光性ペーストをスクリーン印刷法により形成して所望の温度で乾燥した後、フォトリソグラフィ法を用いてパターニングし、焼成することにより形成される。なお、バス電極３３は、銀材料を含む感光性ペーストのみならず、黒色顔料を含む感光性ペーストと重ね合わせて複数層として形成しても良い。
【００３７】
この後、走査電極３４、維持電極３５およびブラックストライプ３６を覆うように前面板３１上にガラス粉末等の誘電体材料を含む誘電体ペーストをスクリーン印刷法やダイコート法等により塗布して誘電体ペースト層を形成した後、所望の温度で乾燥する。その後、焼成固化することにより、走査電極３４、維持電極３５およびブラックストライプ３６を覆う誘電体層３７が形成される。なお、誘電体層３７は、単層で形成しても、複数層に分けて形成しても良い。次に、誘電体層３７上に酸化マグネシウム（ＭｇＯ）からなる保護層３８を真空蒸着法やスクリーン印刷法、ダイコート法等により形成する。
【００３８】
以上の工程により前面板３１上に所定の構成要素（表示電極対３９、ブラックストライプ３６、誘電体層３７、保護層３８）が形成され、前面板３１が完成する。なお、基板として多面取り基板を用いているため、いずれかの工程の間で割断を行い、単板状態にする必要がある。一般的には保護層３８を形成する前に割断を行うが、これに限られるわけではない。また、１００吋サイズを超える超大型パネルを作製する際も同様に作製されるが、この時は割断が行われない場合もある。
【００３９】
一方、背面板４０は次のようにして形成される。なお、用いる基板は、量産性に優れ低コスト化が可能な多面取りを行う基板（例えば、４２吋サイズ１６面取り基板など）を用い、複数枚同時に途中工程まで形成する。
【００４０】
まず、ガラス製の背面板４０上に、銀材料を含む感光性ペーストをスクリーン印刷法により転写した後、所望の温度で乾燥して膜形成を行う。その後、データ電極４１のパターンを有するフォトマスクを介して紫外光を照射した後、アルカリなどを含む現像液で不要部分を除去して、所望の温度で焼成固化することでデータ電極４１を形成する。
【００４１】
次に、データ電極４１が形成された背面板４０上にスクリーン印刷法等によりデータ電極４１を覆うようにガラス粉末等の誘電体材料を含む誘電体ペーストを塗布し、所望の温度で乾燥を行うことで誘電体ペースト層を形成する。その後、誘電体ペースト層を焼成することにより誘電体層４２を形成する。
【００４２】
この後、誘電体層４２上に隔壁材料を含む隔壁形成用ペーストをスクリーン印刷法やダイコート法等により塗布し所望の温度で乾燥して隔壁ペースト層を形成する。そのあと所定の形状にパターニングすることにより、隔壁材料層を形成した後、所望の温度で焼成固化することにより隔壁４３を形成する。ここで、誘電体層４２上に塗布した隔壁ペースト層をパターニングする方法としては、フォトリソグラフィ法やサンドブラスト法等を用いることができる。
【００４３】
そして、隔壁４３を形成した背面板４０には、隣接する隔壁４３間の誘電体層４２上、および隔壁４３の側面に蛍光体材料を含む蛍光体ペーストをスクリーン印刷法やディスペンサー法等により塗布し所望の温度で乾燥した後、所望の温度で焼成することにより蛍光体層４４が形成される。
【００４４】
以上の工程により、背面板４０上に所定の構成要素（データ電極４１、誘電体層４２、隔壁４３、蛍光体層４４）が形成され、背面板４０が完成する。なお、基板として多面取り基板を用いているため、いずれかの工程の間で割断を行い、単板状態にする必要がある。一般的には蛍光体層４４を形成する前に割断を行うが、これに限られるわけではない。また、１００吋サイズを超える超大型パネルを作製する際も同様に作製されるが、この時は割断が行われない場合もある。
【００４５】
そして、スクリーン印刷法やインクジェット法またはディスペンサー法により、前面板３１または背面板４０の周囲の所定の位置に封着材を塗布し、封着材に含まれる樹脂成分を燃焼できる温度で仮焼成を行った後、前面板３１と背面板４０とを電極形成面側が向かい合うように対向配置させてパネル４５を組み立てる。続いて、前面板３１および背面板４０の周囲を気密封着し、排気および放電ガス導入用の排気管を封着材によって気密封着する。そして、排気管を通してパネル４５内部を真空排気し、パネル４５内部へネオンやキセノン等を含む放電ガスを所定の圧力（例えば、Ｎｅ−Ｘｅ混合ガスの場合、約５３０ｈＰａ〜８００ｈＰａの圧力）にて導入を行った後、排気管を加熱して溶融し排気管を閉塞して封じ切る。
【００４６】
以上のようにして、ネオンとキセノンの混合ガスは放電ガスとしてパネル４５内部の放電空間に封入され、パネル４５が完成する。完成したパネル４５では、表示電極対３９およびデータ電極４１に映像信号にもとづく駆動電圧を選択的に印加して放電セル内に放電を発生させ、その放電によって発生した紫外線が各色の蛍光体層４４を励起してＲ、Ｇ、Ｂの各色を発光させることによってカラー画像の表示を実現している。
【００４７】
図６は、上述したパネル４５の電極配列を模式的に示す平面図である。パネル４５には、行方向に長いｎ本の走査電極ＳＣ１〜ＳＣｎ（図５の走査電極３４）およびｎ本の維持電極ＳＵ１〜ＳＵｎ（図５の維持電極３５）が配列され、列方向に長いｍ本のデータ電極Ｄ１〜Ｄｍ（図５のデータ電極４１）が配列されている。そして、１対の走査電極ＳＣｉ（ｉ＝１〜ｎ）および維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。なお、図５に示したように、走査電極ＳＣｉと維持電極ＳＵｉとは互いに平行に対をなして形成されているために、走査電極ＳＣ１〜ＳＣｎと維持電極ＳＵ１〜ＳＵｎとの間に大きな電極間容量Ｃｐが存在する。
【００４８】
このパネル４５は、サブフィールド法、すなわち、１フィールド期間を複数のサブフィールドに分割した上で、発光させるサブフィールドの組み合わせによって階調表示を行う方法で駆動する。各サブフィールドは、初期化期間、書込み期間および維持期間を有し、初期化期間では初期化放電を発生し、続く書込み動作に必要な壁電荷を各電極上に形成する。書込み期間では、表示を行うべき放電セルにおいて選択的に書込み放電を発生し壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。
【００４９】
次に、以上の説明におけるパネル４５の製造方法について述べる。
【００５０】
まず、本発明の一実施の形態による印刷スクリーン版について説明する。
【００５１】
図１は、本発明の一実施の形態による印刷スクリーン版の概略構成を示す平面図である。また、図２、図３は、本発明の一実施の形態による印刷スクリーン版におけるスキージ端部を拡大して概略的に示す断面図である。
【００５２】
印刷スクリーン版は、アルミ等の金属製の版枠の内側に、ポリスチレンやＳＵＳなどの糸で織った紗を、面内のテンションが出来るだけ均一となるように張り、印刷領域以外を乳剤１５で保護することで作製する。
【００５３】
ここで乳剤１５の形成は、例えばジアゾ系感光性樹脂などを少なくとも乳剤１５を形成する部分に塗布し、乾燥した後、印刷パターン外が感光しないよう形成されたフィルムマスクやガラスマスクなどを介して乳剤１５に紫外光を照射し、現像する事で、印刷パターン外の乳剤１５のみを残し、印刷したい部分は紗１４のみにする。
【００５４】
そしてその後、乳剤１５に凹凸２１を形成する。ここで、乳剤１５の凹凸２１は、例えば乳剤１５と同質の樹脂材料を用いて形成するというものでも良いし、乳剤１５と同質の材料でなくても良い。乳剤１５の凹凸２１は、例えば凸部２１ａとなる箇所に、材料をディスペンサーなどを用いて部分的に塗布することで、図１に示すように、スキージ走行範囲２０の内側且つ印刷範囲１９の外側の領域に、例えば印刷方向１０と平行となるように、複数列形成する。この場合、凹部２１ｂは、乳剤１５部分となる。
【００５５】
また乳剤の凹凸２１の工程差、すなわち、凸部２１ａと乳剤１５部分との高低差、つまりは、凸部２１ａの高さは、ディスペンサーなどの部分的に塗布する方法の塗布回数などを制御する事により、図２や図３に示すように、印刷範囲１９近傍は低く形成した。
【００５６】
なお、乳剤１５に形成する凹凸２１は上記実施の形態に限られる事なく、スキージの長手方向と同一方向に連続的に形成されていなければ、例えば図４（ａ）〜（ｄ）に、印刷スクリーン版とスキージとの位置関係を模式的に平面図で示すように、どのような形態であっても良い。
【００５７】
ここで、図４（ｂ）〜（ｄ）のように、スキージが走行する際にペーストが印刷パターンに向かって流れるような形状にすると、ペーストがスキージ端部からはみ出る量が抑制できるため、ペーストの使用効率が良くなり、なお良い。
【００５８】
以上のような印刷スクリーン版を用いて、転写するペーストをスクレッパーで印刷領域全体に充填した後にスキージ１６を一定の圧力で押し当てながら、ガラス基板等の被印刷物１１にペーストを印刷して塗布膜を形成する。この際、印刷スクリーン版はパネルの量産性を増すため多面取りが可能な大型サイズのものを用いる場合があり、このような場合の印刷条件としては、形成する層により異なるため一概には言えないものの、概ね、従来のサイズの印刷スクリーン版を用いた場合の印刷条件よりも、スキージの押し込み量を例えば２０％程度増やす必要が生じ、ノッキング発生の要因となってしまう場合があるが、本発明によれば、そのような押し込み量の増加にもかかわらず、いずれの層の形成時もノッキングの発生はなかった。
【００５９】
すなわち、上述したような印刷スクリーン版を用いて、図５に示すような、前面板のバス電極３３、ブラックストライプ３６、誘電体層３７、保護膜３８、および背面板のデータ電極４１、誘電体層４２、隔壁４３、蛍光体層４４などの構成要素を作製することで、各々の膜厚等のディメンジョンばらつきが少ない良好なパネル４５の作製が可能となった。
【００６０】
以上、本発明によれば、乳剤に凹凸を設けることで、スキージと乳剤との接触面積を減らし、摩擦を低減することにより、ノッキング等の不具合を発生させる事なく塗布膜を形成でき、面内膜厚分布を良好な状態とでき、その結果、コストメリットに優れた多面取り工法や、付加価値の高い大型パネルにおいても、均質なディメンジョンのパネル構成要素を作製し表示品質の優れたパネルを提供することが可能となる。
【産業上の利用可能性】
【００６１】
以上のように本発明は、大画面、高精細のパネルを提供する上で有用な発明である。
【図面の簡単な説明】
【００６２】
【図１】本発明の一実施の形態による印刷スクリーン版の概略構成を示す平面図
【図２】本発明の一実施の形態による印刷スクリーン版におけるスキージ端部を拡大して概略的に示す断面図
【図３】本発明の一実施の形態による印刷スクリーン版におけるスキージ端部を拡大して概略的に示す断面図
【図４】本発明の一実施の形態による印刷スクリーン版とスキージとの位置関係を模式的に示す平面図
【図５】本発明の一実施の形態による印刷スクリーン版を用いて作製されるパネルの概略構造を示す分解斜視図
【図６】図５に示すパネルの電極配列を模式的に示す平面図
【図７】従来のスクリーン印刷法の動作を概略的に示す断面図
【図８】従来のスクリーン印刷法におけるスキージ端部を拡大して概略的に示す断面図
【図９】従来の印刷スクリーン版とスキージの位置関係を概略的に示す平面図
【符号の説明】
【００６３】
１０  印刷方向
１１  被印刷物
１２  ペースト
１３  版枠
１４  紗
１５  乳剤
１６  スキージ
１７  印刷ステージ
１８  助走板
１９  印刷範囲
２０  スキージ走行範囲
２１  乳剤の凹凸
２１ａ  凸部
２１ｂ  凹部
３１  前面板
３２  透明電極
３３  バス電極
３４  走査電極
３５  維持電極
３６  ブラックストライプ
３７  誘電体層
３８  保護層
３９  表示電極対
４０  背面板
４１  データ電極
４２  誘電体層
４３  隔壁
４４  蛍光体層
４５  プラズマディスプレイパネル
【図１】
2010115855.tif 000003
【図２】
2010115855.tif 000004
【図３】
2010115855.tif 000005
【図４】
2010115855.tif 000006
【図５】
2010115855.tif 000007
【図６】
2010115855.tif 000008
【図７】
2010115855.tif 000009
【図８】
2010115855.tif 000010
【図９】
2010115855.tif 000011